(57)【特許請求の範囲】
【請求項１】
種々の情報を表示可能な表示部と、
予め設定されたべースとなる複数の表示パターンであって、表示領域が一または複数に区画されるとともに、区画された表示領域がそれぞれ異なるカスタム画面作成用の表示パターンを格納するベース記憶部と、
予め設定されている表示可能項目を格納する表示項目記憶部と、
前記ベース記憶部に格納された複数の前記表示パターンや前記表示項目記憶部に格納された複数の前記表示可能項目から任意に選択することで、実際にどの表示パターンのどの表示領域にどのような表示項目を表示させるのかといった、前記表示パターンや前記表示項目に関する設定データを入力する入力部と、
前記入力部によって入力された前記設定データを格納する設定データ記憶部と、
前記設定データ記憶部に格納された前記設定データに基づき、所定の表示項目を所定の表示パターンで前記表示部に表示させると共に、その表示項目についてのデータをＮＣ装置から読み出して前記表示部に表示させる制御部と
を備えているＮＣ工作機械における表示装置。
【請求項２】
前記制御部は、前記表示項目及びこれについてのデータを、前記表示パターンの表示領域内に最も大きく表示される表示サイズで表示させるように構成されてなることを特徴とする請求項１記載のＮＣ工作機械における表示装置。
【発明の詳細な説明】
【０００１】
【発明の属する技術分野】
この発明は、ＮＣ工作機械における表示装置、特に、ユーザが確認したい情報やデータを、ある程度の自由度をもってレイアウトした状態で画面表示させることのできるＮＣ工作機械における表示装置に関する。
【０００２】
【従来の技術及び発明が解決しようとする課題】
最近のＮＣ工作機械のＮＣ装置には、駆動軸の現在位置（絶対座標値、相対座標値）等の変動データや、固定データ、文字情報、画像情報等の固定情報等、種々の情報やデータを表示させることのできる表示機能が備えられている。このような表示機能を備えたＮＣ装置には、特開昭６２−２０５４０２号公報に開示されているように、工作機械メーカ（ＮＣ装置メーカ）によって提供される、予め決められた表示項目を予め決められた表示フォーマットに基づいて表示させる固定画面以外に、ユーザが独自に必要な情報やデータのみを選択して表示させることができるカスタム画面を備えたものがあり、こういったカスタム画面は、通常、ユーザがＣＲＴ等の表示画面を見ながら所定の情報をキー入力することによって対話式に作成することができるようになっている。
【０００３】
しかしながら、表示機能を備えた従来のＮＣ装置では、上述したように、ユーザが表示したいと考える情報やデータのみを選択して画面上に表示させることはできるものの、そういった情報やデータを単に画面上に整列した状態で表示させるだけであり、画面上における表示情報や表示データの配置や大きさをユーザが自由に設定することができず、ユーザが描いている画面イメージに沿った見やすいカスタム画面を作成することができないといった問題があった。
【０００４】
そこで、この発明の課題は、ユーザが描いている画面イメージに沿うようなカスタム画面を、簡単に作成することのできるＮＣ工作機械における表示装置を提供することにある。
【０００５】
【課題を解決するための手段及びその効果】
上記の課題を解決するため、この発明は、種々の情報を表示可能な表示部と、予め設定されたべースとなる複数の表示パターンであって、表示領域が一または複数に区画されるとともに、区画された表示領域がそれぞれ異なるカスタム画面作成用の表示パターンを格納するベース記憶部と、予め設定されている表示可能項目を格納する表示項目記憶部と、前記ベース記憶部に格納された複数の前記表示パターンや前記表示項目記憶部に格納された複数の前記表示可能項目から任意に選択することで、実際にどの表示パターンのどの表示領域にどのような表示項目を表示させるのかといった、前記表示パターンや前記表示項目に関する設定データを入力する入力部と、前記入力部によって入力された前記設定データを格納する設定データ記憶部と、前記設定データ記憶部に格納された前記設定データに基づき、所定の表示項目を所定の表示パターンで前記表示部に表示させると共に、その表示項目についてのデータをＮＣ装置から読み出して前記表示部に表示させる制御部とを備えているＮＣ工作機械における表示装置を提供するものである。
【０００６】
以上のように構成されたＮＣ工作機械における表示装置では、一または複数に区画された表示領域を有する複数の表示パターンの中から一の表示パターンをユーザに選択させると共に、選択された表示パターンの表示領域に表示させる表示項目を、予め設定されている表示可能項目の中からユーザに選択させるようにしたため、ユーザは、入力部に対して単純な選択入力操作を行うだけで、自分が描いている画面イメージにある程度近いカスタム画面を簡単かつ短時間で作成することができる。
【０００７】
尚、前記制御部は、前記表示項目及びこれについてのデータを、前記表示パターンの表示領域内に最も大きく表示される表示サイズで表示させるように構成されていても良い。このようにすれば、表示項目やデータの表示サイズが表示領域内で最も大きくなるように設定，表示されるため、表示項目を表示させる表示領域を適宜選択することにより、ある程度自由に表示サイズを変更することができる。従って、各表示項目に軽重を付けた状態で表示させることが可能となり、従来に比べてユーザの意向に添った画面表示を実現することができる。
【０００８】
【発明の実施の形態】
以下、実施の形態について図面を参照して説明する。図１に示すように、このＮＣ工作機械における表示装置１は、バスシステム１５を介して相互に接続された、ＣＲＴディスプレイからなる表示部１１、入力部１２、記憶部１３及び制御部１４を備えており、この表示装置１は、前記バスシステム１５を介してＮＣ装置２０に接続されている。
【０００９】
前記入力部１２は、文字や数字などの情報を入力するためのハードキーであるＭＤＩキー（図示せず）及び、図３ないし図６に示すように、表示部１１の画面上に表示されるソフトキー１２ａを備えており、これらのＭＤＩキーやソフトキー１２ａを操作することによってユーザが種々のデータを入力することができるようになっている。
【００１０】
前記記憶部１３は、図４及び図５に示すように、ベースとなる８種類のカスタム画面作成用の表示パターンＰであって、一または複数に区画された表示エリアａを有し、この区画された表示エリアａがそれぞれ異なる表示パターンＰを格納するベース記憶部１３ａと、図６に示す表示画面に表示されているような「駆動軸の現在位置（絶対座標、相対座標、機械座標）」、「残移動量」、「加工部品数」、「運転時間」、「実送り速度」等の複数の表示項目ｍｉ、ｓｉを格納する表示項目記憶部１３ｂと、ベース記憶部１３ａに格納された８種類の表示パターンＰや表示項目記憶部１３ｂに格納された複数の表示項目ｍｉ、ｓｉから任意に選択することで、実際にどの表示パターンＰのどの表示エリアａにどのような表示項目ｍｉ、ｓｉを表示させるのかといった、表示パターンＰや表示項目ｍｉ、ｓｉに関する設定データを格納する設定データ記憶部１３ｃとから構成されている。
【００１１】
前記表示パターンＰ及び表示項目ｍｉ、ｓｉは、工作機械メーカ側で設定され、予め、ベース記憶部１３ａ及び表示項目記憶部１３ｂにそれぞれ格納されているが、前記設定データは、カスタム画面を作成する際に、ユーザが入力部１２を構成するＭＤＩキー及びソフトキー１２ａによって直接入力し、これを設定データ記憶部１３ｃに格納するようになっている。
【００１２】
前記制御部１４は、前記入力部１２によるデータ入力を制御する入力制御機能と、前記表示部１１の画面表示を制御する表示制御機能と、前記記憶部１３との間でデータの読み出し及びデータの保存を行うデータ管理機能と、前記ＮＣ装置２０から必要なデータの取り込みを行う通信制御機能とを有しており、図４及び図５に示すようなベース選択画面を表示するためのベース選択画面用フォーマットと、図６に示すような表示項目設定画面を表示するための表示項目設定画面用フォーマットを予め備えている。なお、最終的に作成される、図３に示すようなカスタム画面を表示するカスタム画面用フォーマットは、設定データ記憶部１３ｃに格納された設定データに基づいて、この制御部１４が作成するようになっている。
【００１３】
具体的には、設定データ記憶部１３ｃに格納された設定データを読み出すと共に、この設定データに基づいて、ベース記憶部１３ａ及び表示項目記憶部１３ｂから、ユーザが選択した表示パターンＰ及び表示項目ｍｉ、ｓｉに関する設定データを読み出し、所定の表示項目ｍｉ、ｓｉを所定の表示パターンＰで表示部１１に表示させる。また、表示部１１に表示された各表示項目ｍｉ、ｓｉに対応する実際のデータを、ＮＣ装置２０から取り込み、各表示項目ｍｉ、ｓｉに対応させるように表示部１１に表示させるようになっている。なお、「駆動軸の現在位置」等のデータが変動する表示項目については、その項目に対応する実際のデータをＮＣ装置２０から一定時間毎に読み出し、画面上の表示データを随時書き替えるようになっている。
【００１４】
以上のように構成されたＮＣ工作機械における表示装置１について、実際にユーザがカスタム画面を作成する際の動作及び作業を、図２に示すフローチャートに基づいて、以下に説明する。
【００１５】
まず、ユーザによって、所定のＭＤＩキーまたはソフトキーが操作されると、表示部１１に、カスタム画面が表示され（ステップＳ１）、ステップＳ２に移行する。なお、初期段階において表示されるカスタム画面は、工作機械メーカによって予め作成されており、ユーザはこの予め作成されたカスタム画面を変更することによって、自分が描く画面イメージに沿った新たなカスタム画面を作成することができるようになっている。
【００１６】
ステップＳ２では、カスタム画面を終了するか否か、即ち、ステップＳ１において表示部１１に表示されたカスタム画面に変更を加えるか否かが判断される。ユーザがカスタム画面に変更を加えない場合は、図示しない「終了」キーを押すと、カスタム画面作成ルーチンが終了し、ユーザがカスタム画面に変更を加える場合は、ステップＳ３に移行する。なお、「終了」キーは、図３に示すソフトキー１２ａの「＜」キーを押すことによって画面上に表示されるようになっている。
【００１７】
ステップＳ３では、図３に示すように、ソフトキー１２ａの「ベース」キーまたは「項目設定」キーが押されたかどうかが判断され、ここで、「項目設定」キーが押されると、ステップＳ８に移行する。一方、ここで、「ベース」キーが押されると、ステップＳ４に移行して、図４及び図５に示すような２枚のベース選択画面のうちいずれか１枚のベース選択画面が表示され、ステップＳ５に移行する。各ベース選択画面には、それぞれ、表示エリアａが一または複数に区画された異なる４つの表示パターンＰがそれぞれ表示されており、２枚のベース選択画面は、図示しないＭＤＩキー（「Page Up」キーまたは「Page Down」キー）を押すことによって切換表示させることができるようになっている。
【００１８】
ステップＳ５では、ユーザが、ベース選択画面に表示された複数の表示パターンＰから、自分の描いている画面イメージに近い表示パターンＰを選択することになるが、各ベース選択画面に表示された４つの表示パターンＰ部分はそれぞれソフトキーとなっており、図示しないＭＤＩカーソルキー（「→」キー、「←」キー、「↑」キー、または「↓」キー）を押すことによってカーソルを移動させて、いずれかの表示パターンＰを任意に選択することができるようになっている。なお、図４では左下の表示パターンＰが、図５では右上の表示パターンＰがそれぞれ選択された状態を示している。
【００１９】
ステップＳ５において、いずれかの表示パターンＰが選択されると、ステップＳ６に移行し、図４及び図５に示すように、ベース設定画面に表示されているソフトキー１２ａの「設定」キーまたは「キャンセル」キーが押されたか否かが判断される。ここで、「キャンセル」キーが押されると、ステップＳ５における表示パターンＰの選択がキャンセルされ、ステップＳ１に戻って、表示部１１に再び元のカスタム画面が表示される。
【００２０】
一方、ステップＳ６において、「設定」キーが押されると、ステップＳ５において選択された表示パターンＰについての設定データが、上述した設定データ記憶部１３ｃとは別に設けられた記憶部（図示せず）に仮保存され、ステップＳ８に移行する。
【００２１】
ステップＳ８では、図６に示す表示項目選択画面が表示され、ステップＳ９に移行する。この表示項目選択画面は、同図に示すように、ステップＳ５においていずれかの表示パターンＰが選択された場合はその表示パターンＰが、また、ステップＳ５において表示パターンＰが選択されなかった場合、即ち、ステップＳ３において「項目選択」キーが押された場合は既に設定されている表示パターンＰが表示されると共に、表示項目がメニューリストとして表示され、このメニューリスト内の表示項目ｍｉについてさらに詳細な表示項目ｓｉがある場合は、サブメニューリストとしてその表示項目ｓｉが表示される。
【００２２】
また、この表示項目設定画面には、図６に示すように、カーソル制御をそれぞれ画面表示された表示パターン領域Ｐａ、メニューリスト領域Ｍａ及びサブメニュー領域Ｓａに移す、「分割」キー、「メニュー」キー及び「サブメニュー」キーがソフトキー１２ａとしてそれぞれ表示されており、これらのキーを押すことによって各領域Ｐａ、Ｍａ、Ｓａ内に移動させたカーソルを上述したＭＤＩカーソルキーによってそれぞれの領域内で移動させることによって、表示パターン領域Ｐａ内の表示エリアａやメニューリスト領域Ｍａ内の表示項目ｍｉ及びサブメニュー領域Ｓａ内の各表示項目ｓｉを表示するか否かを選択することができるようになっている。
【００２３】
また、表示項目設定画面には、図６に示すように、画面表示をベース選択画面に戻すための「ベース」キー、選択した表示項目を設定するための「設定」キー及び選択した表示項目をキャンセルするための「キャンセル」キーがそれぞれソフトキー１２ａとして表示されている。
【００２４】
ステップＳ９では、まず、「分割」キーを押してカーソルを表示パターン領域Ｐａ内に移し、表示項目を設定しようとする表示エリアａをカーソルによって選択した後、「メニュー」キーを押してカーソルをメニューリスト領域Ｍａ内に移し、選択した表示エリアａ内に表示させる表示項目ｍｉをカーソルによって選択する。なお、選択した表示項目ｍｉにさらに詳細な表示項目ｓｉがある場合は、サブメニューリストが表示されるので、「サブメニュー」キーを押してカーソルをサブメニューリスト領域Ｓａ内に移し、サブメニューリスト内の各表示項目ｓｉを表示させるか否かをカーソルによって選択する。
【００２５】
ステップＳ９において、表示項目ｍｉまたは表示項目ｓｉが選択されると、ステップＳ１０に移行し、上述したソフトキー１２ａの「設定」キーまたは「キャンセル」キーが押されたか否かが判断される。ここで、「キャンセル」キーが押されると、ステップＳ９における表示項目ｍｉ、ｓｉ等の選択のみならず、ステップＳ５における表示パターンＰの選択の双方がキャンセルされ、ステップＳ１に戻って再び表示部１１に元のカスタム画面が表示される。
【００２６】
一方、ステップＳ１０において「設定」キーが押されると、ステップＳ１１に移行し、ステップＳ７において仮保存された表示パターンＰに関する設定データと共に、ステップＳ９において各表示エリアａ毎に選択された表示項目ｍｉ、ｓｉ等に関する設定データを含む全ての設定データが設定データ記憶部１３ｃに保存された後、ステップＳ１に戻って、図３に示すようなカスタム画面が表示部１１に表示される。
【００２７】
このカスタム画面には、設定データ記憶部１３ｃに記憶された設定データに基づいて、ユーザが設定した表示パターンＰの各表示エリアａにユーザが設定した表示項目ｍｉ、ｓｉが表示されると共に、ＮＣ装置２０から取り込まれた各表示項目ｍｉ、ｓｉに対応する実際のデータが同時に表示される。また、画面上には、各表示エリアａ内において最も大きく表示されるように、その表示項目ｍｉ、ｓｉ及びデータの表示サイズが制御部１４によって自動的に設定される。なお、図６に示すカスタム画面は、ユーザが、図４に示すベース選択画面で左下の表示パターンＰを選択し、図６に示す表示項目設定画面で表示項目ｍｉ、ｓｉとして「絶対座標」、「機械座標」、「残移動量」、「実送り速度」、「実回転数」及び「Ｔコード」を選択した場合を示している。
【００２８】
このようにして、カスタム画面が作成されるが、ユーザが作成したカスタム画面にさらに修正を加えたい場合は、再度ステップＳ３〜ステップＳ１１を繰り返せばよく、このカスタム画面でよい場合は、ステップＳ２において「終了」キーを押すと、今後、このカスタム画面を表示部１１に表示させることができる。
【００２９】
以上のように、このＮＣ工作機械の表示装置１では、一または複数に区画された表示エリアａを有する複数の表示パターンＰの中から一の表示パターンＰをユーザに選択させると共に、選択された表示パターンＰの各表示エリアａに表示させる表示項目ｍｉ、ｓｉを、予め工作機械メーカ側で設定されている表示項目ｍｉ、ｓｉの中からユーザに選択させるようにしたため、ユーザは、入力部１２に対して単純な選択入力操作を行うだけで、自分が描いている画面イメージにある程度近いカスタム画面を簡単かつ短時間で作成することができる。
【００３０】
また、表示項目ｍｉ、ｓｉやデータの表示サイズは、上述したように、表示エリアａ内で最も大きくなるように設定されるため、ユーザは、表示項目ｍｉ、ｓｉを表示させる表示エリアａを適宜選択することにより、ある程度自由に表示サイズを変更することができる。従って、この表示装置１によって作成されるカスタム画面では、各表示項目ｍｉ、ｓｉに軽重を付けた状態で表示させることが可能となり、従来に比べてユーザの意向に添った画面表示を実現することができる。
【００３１】
なお、この実施形態では、現在位置表示画面におけるカスタム画面の作成について説明しているが、これに限定されるものではなく、プログラムチェック画面等についても、同様の作業でカスタム画面を簡単に作成することができることはいうまでもない。
【図面の簡単な説明】
【図１】        この発明にかかる表示装置の一実施形態を示すブロック図である。
【図２】        同上の表示装置によるカスタム画面の作成工程を示すフローチャートである。
【図３】        同上の表示装置に表示される表示画面（カスタム表示画面）を示す図である。
【図４】        同上の表示装置に表示される表示画面（ベース選択画面）を示す図である。
【図５】        同上の表示装置に表示される表示画面（ベース選択画面）を示す図である。
【図６】        同上の表示装置に表示される表示画面（表示項目設定画面）を示す図である。
【符号の説明】
１  表示装置
１１  表示部
１２  入力部
１３  記憶部
１３ａ  ベース記憶部
１３ｂ  表示項目記憶部
１３ｃ  設定データ記憶部
１４  制御部
１５  バスシステム
２０  ＮＣ装置
【図１】
0004105303.tif 000002
【図２】
0004105303.tif 000003
【図３】
0004105303.tif 000004
【図４】
0004105303.tif 000005
【図５】
0004105303.tif 000006
【図６】
0004105303.tif 000007